(57)【要約】      （修正有） 【課題】移動式浄水装置の製造コストを下げる事で大量生産を可能にし、原水の浄化時間を短縮する事で大規模かつ広範囲な緊急災害時、多くの場所に移動式浄水装置を提供し、且つ短時間で多量の浄化飲料水を提供する。【解決手段】搬送可能に形成された移動式浄水化装置であって、注入された原水に食品添加物を主成分として構成された中性性質を有する凝集剤１４を投入して撹拌しうる撹拌槽部１７と、投入された凝集剤１４により形成された凝集物と浄水１９とを分離する分離槽部２１と、抽出された浄水１９を所定時間貯水する浄化槽部２３と、上記浄化槽２３から注入された浄水１９をさらに濾過する逆浸透膜が配設され、浄水１９を飲料水化しうる逆浸透膜濾過部２４ａ、２４ｂとを備えていることを特徴とする移動式浄水化装置。【選択図】図１
0003183246.tif 000002
【実用新案登録請求の範囲】
【請求項１】
搬送可能に形成された移動式浄水化装置であって、注入された原水に食品添加物を主成分として構成された中性性質を有する凝集剤を投入して撹拌しうる撹拌槽部と、投入された凝集剤により形成された凝集物と浄水とを分離する分離槽部と、抽出された浄水を所定時間貯水する浄化槽部と、上記浄化槽から注入された浄水をさらに濾過する逆浸透膜が配設され、浄水を飲料水化しうる逆浸透膜濾過部とを備えていることを特徴とする移動式浄水化装置。
【請求項２】
上記逆浸透膜濾過部は、上流側に配置された高圧逆浸透膜及び、上記高圧逆浸透膜の下流側に配置された低圧逆浸透膜を有することを特徴とする請求項１記載の移動式浄水化装置。
【請求項３】
上記逆浸透膜濾過部の下流側に給水タンク及び送水ポンプをさらに備えたことを特徴とする請求項２記載の移動式浄水化装置。
【請求項４】
上記逆浸透膜濾過部と上記給水タンクとの間には消毒剤注入器が配設されていることを特徴とする請求項３記載の移動式浄水化装置。
【請求項５】
上記逆浸透膜濾過部には上記浄化槽から注入された浄水が上記逆浸透膜に導入される前に透過するように前処理フィルターが備えられていることを特徴とする請求項４記載の移動式浄水化装置。
【請求項６】
上記前処理フィルターは５μｐｐフィルター及び活性炭フィルターであることを特徴とする請求項５記載の移動式浄水化装置。
【考案の詳細な説明】
【技術分野】
【０００１】
本考案は、移動式浄水化装置の改良に関する。
【背景技術】
【０００２】
従来より、現地の原水を濾過して飲料水を得るための移動式浄水装置として、特許2755182号公報に記載の浄水装置が知られている。前記浄水装置は移動体に搭載可能な移動式浄水設備であって、原水に凝集剤を添加する凝集剤添加装置と、前記原水と前記凝集剤とが混合された混合水を貯留する貯留槽と、繊維材を濾過筒の主材とする回転円筒形濾過器から構成されている(特許文献１)。
【０００３】
前記浄水装置は、前記貯留槽内の前記混合水中に浸漬され、回転する前記濾過筒を通して濾過を行う第一濾過器と、前記第一濾過器により得られた濾過水を、精密濾過または限外濾過することによって逆浸透膜処理に許容される水質に濾過する第二濾過器と、前記第二濾過器により得られた濾過水を加圧した状態でさらに逆浸透膜に導入することにより純水を得る第三濾過器とを備えてなることを特徴とする。
【０００４】
また、前記第一濾過器と前記第二濾過器とを接続する管路途中に、その管路内を流動する濾過水温度を高めるための加熱装置が設けられている。
【０００５】
さらに、前記第一濾過器及び前記第二濾過器に、その濾過能力を回復させるための逆流洗浄装置が備えられている。このような構成の浄水装置によれば、飲料水として不適な細菌，ウイルス，化学物質を除去することができ、安定して連続運転することができ、さらに移動に便利なサイズに構成された移動式浄水設備を提供することができるようになっている。
【特許文献１】特許２７５５１８２号公報
【考案の開示】
【考案が解決しようとする課題】
【０００６】
しかしながら、前記した従来の移動式浄水装置では、濾過筒のつまりを防止して濾過能力を回復させるための逆流洗浄装置が備えられている第一濾過器の回転円筒形濾過器と、精密濾過または限外濾過の第二濾過器が設けられており、高価な濾過器を使用していることで、大規模かつ広範囲な緊急災害時、多くの浄化装置を必要とする場合、製造コストが嵩むという不具合があった。
【０００７】
本考案はこのような従来からの不具合を解決するためのものであって、その課題は、移動式浄水装置の製造コストを低減して大量生産を可能にし、原水の浄化時間を短縮する事で大規模かつ広範囲な緊急災害時に、多くの場所に移動式浄水装置を提供し、且つ短時間で多量の浄化飲料水を提供することにある。
【課題を解決するための手段】
【０００８】
上記課題達成のため、請求項１記載の考案にあっては、搬送可能に形成された移動式浄水化装置であって、注入された原水に食品添加物を主成分として構成された中性性質を有する凝集剤を投入して撹拌しうる撹拌漕部と、投入された凝集剤により形成された凝集物と浄水とを分離する分離槽部と、抽出された浄水を所定時間貯水する浄化槽部と、上記浄化槽から注入された浄水をさらに濾過する逆浸透膜が配設され、浄水を飲料水化しうる逆浸透膜濾過部とを備えていることを特徴とする。
【０００９】
請求項２記載の考案にあっては、上記逆浸透膜濾過部は、上流側に配置された高圧逆浸透膜及び、上記高圧逆浸透膜の下流側に配置された低圧逆浸透膜を有することを特徴とする。
【００１０】
請求項３記載の考案にあっては、上記逆浸透膜濾過部の下流側に給水タンク及び送水ポンプをさらに備えたことを特徴とする。
【００１１】
請求項４記載の考案にあっては、上記逆浸透膜濾過部と上記給水タンクとの間には消毒剤注入器が配設されていることを特徴とする。
【００１２】
請求項５記載の考案にあっては、上記逆浸透膜濾過部には上記浄化槽から注入された浄水が上記逆浸透膜に導入される前に透過するように前処理フィルターが備えられていることを特徴とする。
【００１３】
請求項６記載の考案にあっては、上記前処理フィルターは５μｐｐフィルター及び活性炭フィルターであることを特徴とする。
【考案の効果】
【００１４】
請求項１記載の考案にあっては、搬送可能に形成された移動式浄水化装置であって、注入された原水に食品添加物を主成分として構成された中性性質を有する凝集剤を投入して撹拌しうる撹拌漕部と、投入された凝集剤により形成された凝集物と浄水とを分離する分離漕部と、抽出された浄水を所定時間貯水する浄化槽部と、上記浄化槽から注入された浄水をさらに浄化する逆浸透膜が配設され、浄水を飲料水化しうる逆浸透膜濾過部とを備えており、投下する凝集剤が中性のため浄化水の製造中に中和作業を行うことが無いため、浄水化の時間短縮と中和剤使用分のコスト発生を回避することができる。
【００１５】
また、従来の移動式浄水装置とは異なり、回転円筒系濾過器が不要となると共に、精密濾過装置、又は限外濾過装置が不要となるため移動式浄水装置の構成を簡易にすることができ、製造コストを低減することができる。
【００１６】
請求項２記載の考案にあっては、上記逆浸透膜濾過部は、上流側に配置された高圧逆浸透膜及び、上記高圧逆浸透膜の下流側に配置された低圧逆浸透膜を有しているため、海水を飲料水化する場合には、上記高圧逆浸透膜及び低圧逆浸透膜で浄水化を行ない、上記高圧逆浸透膜により塩分除去、上記低圧逆浸透膜により人体に影響を及ぼすホウ素等を除去することで、海水を飲料水化することができる。
【００１７】
また、淡水を飲料水化する場合には、上記低圧逆浸透膜のみで、淡水を飲料水化することができる。したがって、上記移動式浄水化装置に上記高圧及び低圧の逆浸透膜が備えられていることにより、周辺に浄化のための原水が淡水のみ、又は海水のみしか存在していない場合でも、飲料水を提供することができる。
【００１８】
請求項３記載の考案にあっては、上記逆浸透膜濾過部の下流側に給水タンク及び送水ポンプをさらに備えており、河川や湖沼などの取水源が民家から離れている場所に位置する場合であっても、短時間で浄化された飲料水を供給できる。
【００１９】
請求項４記載の考案にあっては、上記逆浸透膜濾過部と上記給水タンクとの間には消毒剤注入器が配設されており、災害時の上水道が使用不可能な場合に、消毒済みの飲料の確保が可能となり汚水による感染予防も可能となる。
【００２０】
請求項５記載の考案にあっては、上記逆浸透膜濾過部には上記浄化槽から注入された浄水が上記逆浸透膜に導入される前に透過するように前処理フィルターが備えられていることで、目の粗い固形物を含んだ混合水の異物が逆浸透膜に付着することを防ぐことができるため、高価な逆浸透膜の損傷を防ぐことができる。したがって、逆浸透膜の取替えの事態を回避可能であり、かつ持続的な飲料水の供給が可能となる。
【００２１】
請求項６記載の考案にあっては、上記前処理フィルターは５μｐｐフィルター及び活性炭フィルターであることで、片方の前処理フィルターが損傷を受けた場合、高価な逆浸透膜が損傷を受ける前に前処理フィルターを適宜交換することが可能であり、大きなコスト発生を避けることができる。
【図面の簡単な説明】
【００２２】
【図１】本考案に係る移動式浄水化装置の一実施の形態を示す概念図である。
【図２】本考案に係る移動式浄水化装置の一実施の形態を示す側面図である。
【図３】本考案に係る移動式浄水化装置の一実施の形態を示す平面図である。
【図４】本考案に係る移動式浄水化装置の逆浸透膜濾過部の一実施の形態を示す側面図である。
【図５】本考案に係る移動式浄水化装置の給水タンク及び送水ポンプをさらに備えた実施の形態を示す概念図である。
【図６】本考案に係る移動式浄水化装置の逆浸透膜濾過部と給水タンクとの間に消毒剤注入器が配設されている実施の形態を示す概念図である。
【考案を実施するための最良の形態】
【００２３】
以下、添付図面に示す実施の形態に基づき、本考案を詳細に説明する。
【００２４】
図１は、本実施例に係る移動式浄水化装置１０を概念的に示すシステム図であって、ガソリン、軽油又は重油を動力源とする発電機１１を有し、本実施の形態においては水深１０ｍまでの濁水、泥水、海、川、池等から送水ポンプ１２を用いて注入された原水１３に、食品添加物を主成分として構成された中性性質を有する粉体状の凝集剤１４を投入する投入器１５と、凝集剤１４を投入して撹拌しうる撹拌器１６を備える撹拌槽部１７を備えている。
【００２５】
また、投入された凝集剤１４により形成された凝集物１８と浄水１９の混合水２０を、凝集物１８と浄水１９へ分離させるために撹拌槽部１７から分離槽部２１へ送水されるように構成されている。分離槽部２１は、分離させた凝集物１８を排出可能な凝集物排出口２２を備えている。
【００２６】
分離槽部２１から抽出された浄水１９を所定時間貯水する浄化槽部２３は、浄化槽部２３から浄水１９を逆浸透膜濾過部２４a、２４bへ導入する送水ロータリーポンプ２５を備えている。
【００２７】
送水ロータリーポンプ２５から送られてきた浄水１９は、逆浸透膜濾過部２４a、２４bで処理される前処理として、５μｐｐフィルター２６及び活性炭フィルター２７からなる前処理フィルター２６、２７を透過するよう送水される。
【００２８】
本実施例に係る移動式浄水化装置１０には、原水１３が海水の場合、浄水１９が前処理フィルター２６、２７を透過した後、さらに浄化処理が行なわれる高圧逆浸透膜２８a及び高圧逆浸透膜２８aの下流側に配置された低圧逆浸透膜２８bを有する逆浸透膜濾過部２４a、２４bが配設されている。
【００２９】
また、高圧逆浸透膜２８aは、浄水１９の塩分除去を行い、高圧逆浸透膜２８aで処理された後、低圧逆浸透膜２８bにより、残存するホウ素等の除去がさらに行なわれ飲料水化する。
【００３０】
原水１３が淡水の場合、浄水１９は高圧逆浸透膜２８aを透過せず、前処理フィルター２６、２７を透過した後、さらに浄水１９の処理が行なわれ飲料水化しうる低圧逆浸透膜２８bを有する逆浸透膜濾過部２４bを透過するよう送水される。
【００３１】
図２、図３及び図４は、本実施例に係る移動式浄水化装置１０を示す具体的構成図であって、図２に示すように、本実施の形態に係る移動式浄化装置１０は、撹拌槽部１７と、分離槽部２１と、浄化槽部２３と、逆浸透膜濾過部２４a、２４bと、から構成されている。
【００３２】
図２に示すように、撹拌槽部１７、分離槽部２１及び浄化槽部２３は一体に形成されると共に、上流側に逆浸透膜濾過部２４a及び下流側に逆浸透膜濾過部２４bが分離して設けられている。
【００３３】
分離槽部２１は平面正方形状であって、側面略逆台形状に形成された大型の分離槽部２１を有している。撹拌槽部１７及び浄化槽部２３は分離槽部２１の側方に隣接され、いずれも直方体状に形成されており、撹拌槽部１７の上部には投入器１５が設けられている。
【００３４】
また、分離槽部２１の下部には、凝集物排出口２２が設けられており、浄化槽部２３の下部には、移送バルブ２９が設けられている。
【００３５】
図２及び図４に示すように移動式浄水化装置１０には、移送バルブ２９から送水ロータリーポンプ２５の順に浄水１９が送水されるよう配設され、送水ロータリーポンプ２５の下流側に５μｐｐフィルター２６と、５μｐｐフィルター２６に隣接して活性炭フィルター２７が配設されている。
【００３６】
逆浸透膜濾過部２４aは、浄水１９が活性炭フィルター２７から逆浸透膜濾過部２４aの順に透過するよう配設され、逆浸透膜濾過部２４aに配設される全体略直方体形状の逆浸透膜濾過部本体３０aには、逆浸透膜濾過部本体３０aの幅方向を貫通するよう円柱形状の高圧逆浸透膜２８aが備えられている。
【００３７】
逆浸透膜濾過部２４bは、浄水１９が高圧逆浸透膜２８aから逆浸透膜濾過部２４bの順に透過するよう配設され、逆浸透膜濾過部２４bに配設される全体略直方体形状の逆浸透膜濾過部本体３０bには、逆浸透膜濾過部本体３０bの側面に長さ方向に沿って円柱形状の低圧逆浸透膜２８bが備えられている。
【００３８】
また、図３に示すように移動式浄水化装置１０には、撹拌槽部１７の外側には原水取水口３１が設置されており、撹拌槽部１７と分離槽部２１とを貫通している移送バルブ３２が設置され、さらに、分離槽部２１と浄化槽部２３を貫通している移送バルブ３３を備えている。
【００３９】
図２、図３及び図４に示す、本実施例に係る移動式浄水化装置１０は、図１に示す濁水、泥水、海、川、池等の原水１３が、全体略直方体型の撹拌槽部１７の幅方向一端部上方に設置されている原水取水口３１を通り、撹拌槽部１７の内部に送水されるよう構成されている。
【００４０】
送水された原水１３に、撹拌槽部１７の天井部外側に設置された投入器１５から食品添加物を主成分として構成された中性性質を有する粉体状の凝集剤１４が投入されるよう構成されている。
【００４１】
次いで、原水１３と凝集剤１４が撹拌層部１７の内部で撹拌及び凝集され生成された混合水２０は、分離槽部２１へ移送バルブ３２を介して移送される。分離槽部２１では、凝集物および浄水１９に分離されるよう構成されている。
【００４２】
図２に示すように、分離創部２１は、全体箱状であり、長方形状の側面部３４と、長方形状の側面部３４に連接される逆台形状の側面部３５と、逆台形状の側面部３５に連接される長方形状の底面部３６を有する。
【００４３】
分離槽部２１で分離された凝集物は、分離槽部２１の逆台形状の側面部３５の下部に設置されている凝集物排出口２２から排出される。一方、分離槽部２１で分離された浄水１９は、移送バルブ３３を通過し、浄水１９を所定時間貯水する浄化槽部２３に移送されるよう構成されている。
【００４４】
また、図２に示すように、浄化槽部２３で貯水された浄水１９は、浄化槽部２３の下部に設置されている移送バルブ２９を通過し、送水ロータリーポンプ２５へと送水されるよう構成されている。
【００４５】
送水ロータリーポンプ２５から送水された浄水１９は、原水１３が海水の場合、浄化槽部２３から送られてきた浄水１９を、さらに浄化処理する５μｐｐフィルター２６及び活性炭フィルター２７からなる前処理フィルター２６、２７へ送水されるよう構成されている。
【００４６】
５μｐｐフィルター２６及び活性炭フィルター２７から送水された浄水１９は、塩分除去のため、さらに浄化処理される高圧逆浸透膜２８aへ送水されるよう構成されている。
【００４７】
浄水１９は、高圧逆浸透膜２８aで処理された後、残存するホウ素等の除去のため、さらに浄化処理が行なわれ飲料水化しうる低圧逆浸透膜２８bへ送水される。
【００４８】
また、原水１３が淡水の場合、送水ロータリーポンプ２５から送水された浄水１９は、５μｐｐフィルター２６及び活性炭フィルター２７からなる前処理フィルター２６、２７を介して、低圧逆浸透膜２８bへ送水される。
【００４９】
また、原水１３が海水の場合、高圧逆浸透膜２８a及び低圧逆浸透膜２８bを通過することで浄水１９が飲料水３７に浄化処理され、高圧逆浸透膜２８a及び低圧逆浸透膜２８bを通過できなかった浄水１９は、雑用水３８として分別されるよう構成されている。
【００５０】
原水１３が淡水の場合、低圧逆浸透膜２８bを通過することで浄水１９が飲料水３７に浄化処理され、低圧逆浸透膜２８bを通過できなかった浄水１９は、雑用水３８として分別されるよう構成されている。
【００５１】
図５(a)、(b)は、本考案に係る第二の実施の形態を示し、図５(a)における実施の形態にあっては、移動式浄水化装置５０は、逆浸透膜濾過部２４a、２４bの下流側に逆浸透膜濾過部２４a、２４bによって製造された飲料水３７及び雑用水３８を給水及び送水するための、ガソリン、軽油又は重油を動力源とする発電機１１付属の給水タンク３９及び送水ポンプ４０を備えている。
【００５２】
また、図５(ｂ)に示す実施の形態にあっては、移動式浄化装置５０は、原水源及び飲料水提供所が遠方用の場合使用する給水タンク３９及び送水ポンプ４０に接続可能で、ガソリン、軽油又は重油を動力源とする発電機１１及び送水ポンプ４０を付属する中継用給水タンク４１も備えている。
【００５３】
図６は本考案に係る第三の実施の形態を示し、移動式浄水化装置６０は、逆浸透膜濾過部２４a、２４bと給水タンク３９との間に、逆浸透膜濾過部２４a、２４bによって製造された飲料水３７を消毒するための消毒剤注入器４２が配設されている。
【００５４】
以下、第一の実施の形態に係る移動式浄水化装置１０の作用について説明する。
【００５５】
移動式浄水化装置１０の原水処理に投入される粉体状の凝集剤１４は、食品添加物を主成分とするため分子量が大きい。したがって、分子が汚泥などの不純物を包み込む際、より多くの量の不純物を包み込んで凝集することができるので、大量の原水を浄化することができる。
【００５６】
また、中性性質のため、汚濁濃度の高い原水を処理するために大量の凝集剤を投入しなければならない場合であっても、中和作業を行うことが無いため、浄水化の時間短縮と中和剤使用分のコスト発生を回避することができる。また、作業中に作業者の体に付着した場合にも安全である。
【００５７】
移動式浄水化装置１０は、本実施の形態では、送水ポンプ１２にて水深１０ｍまでの海水、河川、湖、沼、海水、雨水、井戸水、貯水槽、防火水槽、プール、排水、濁水、泥水、など多様な原水源から取水を行い、飲料水３７を製造することができる。
【００５８】
したがって、災害時に上水道が不使用になり、飲料水として不適な浄化されていない原水源しか存在せず、飲料水の確保が困難な場合であっても、原水源の深いところまで原水１３を大量に取水し、かつ浄化することができるため、多くの被災地の方々に飲料水３７を提供することができる。
【００５９】
また、移動式浄水化装置１０においては、高圧逆浸透膜２８a及び低圧逆浸透膜２８bの上流側には、５μｐｐフィルター２６及び活性炭フィルター２７からなる前処理フィルター２６、２７が配設され、送水ロータリーポンプ２５から送られてきた浄水１９が、高圧逆浸透膜２８a及び低圧逆浸透膜２８bを通過する前に前処理フィルター２６、２７を通過するように構成されている。
【００６０】
従来においては、高価な逆浸透膜の損傷、及び損傷に伴う濾過能力の低下を防ぐため、未処理水を逆浸透膜に通過させる以前に、処理能力に優れた高価な限外濾過器、または精密濾過器を必要としていた。
【００６１】
しかしながら、凝集剤１４は、汚染物質除去範囲が広く、かつ除去率が高い為、安価な前処理フィルター２６、２７を使用した場合でも、高圧逆浸透膜２８a及び低圧逆浸透膜２８bの損傷、及び損傷に伴う濾過能力の低下を防ぎうる状態で濾過水を高圧逆浸透膜２８a及び低圧逆浸透膜２８bへ流通させることができる。
【００６２】
その結果、高圧逆透浸膜２８a及び低圧逆浸透膜２８bの取替えの事態を回避することができるため、移動式浄水装置１０の製造コストを低減することが可能であり、かつ大量生産を可能にし、多くの場所に移動式浄水装置１０を提供することができる。
【００６３】
また、移動式浄水化装置１０の上流側には、高圧逆浸透膜２８aが配設されていると共に、高圧逆浸透膜２８aの下流側に低圧逆浸透膜２８bが配設されているため、原水１３が海水の場合でも、又は淡水の場合でも、さらに海水及び淡水の汚濁の割合に左右されることなく浄化処理を行ない飲料水３７を提供することができる。
【００６４】
さらに、図５に示すように、第二の実施の形態に係る移動式浄水化装置５０は、逆浸透膜濾過部２４a、２４bの下流側に逆浸透膜濾過部２４a、２４bによって製造された飲料水３７及び雑用水３８を給水及び送水するための、給水タンク３９及び送水ポンプ４０を備えているため、被災地への飲料水の供給だけでなく、一般家庭、公共施設、さらに汚水による健康被害で困っている場所など、遠方の様々な場所に飲料水３７を提供することができる。
【００６５】
また、原水源及び飲料水提供所が遠方用の場合使用する、給水タンク３９及び送水ポンプ４０に接続可能な発電機１１及び送水ポンプ４０付属の中継用給水タンク４１も備えているため、大規模かつ広範囲な緊急災害時に、さらに遠方の多くの場所に移動式浄水装置５０を提供し、且つ短時間で多量の飲料水３７を提供することができる。
【００６６】
また、第三の実施の形態に係る移動式浄水化装置６０は、逆浸透膜濾過部２４a、２４bと給水タンク３９との間に、逆浸透膜濾過部２４a、２４bによって製造された飲料水３７を消毒するための消毒剤注入器４２が配設されているため、災害時の上水道および下水道の処理機能が不十分で、汚水による感染症が発生する可能性がある場合でも、感染率の低下に効果的である。
【００６７】
なお、流入原水の汚濁濃度が低い場合、例えば学校のプールの水等を原水とする場合等は不純物が少ないため、凝集剤を用いて浄化を行なう撹拌漕部、分離槽部及び浄化槽部の前処理施設を稼動させず、その代わりに、砂濾過等の簡易な濾過装置を取り付けて運転しても良い。
【産業上の利用可能性】
【００６８】
本考案は、飲料水供給設備を持たない地域、または台風，地震等の災害が発生した被災地に移動して現地の河川、湖、水溜りなどから原水を取水し、浄化飲料水として供給する移動式浄水化装置に広く適用することができるため、産業上の利用可能性を備えている。
【符号の説明】
【００６９】
１０ 移動式浄水化装置    
１１ 発電機
１２ 送水ポンプ
１３ 原水        
１４ 凝集剤      
１５ 投入器      
１６ 撹拌機      
１７ 撹拌槽部    
１８ 凝集物      
１９ 浄水        
２０ 混合水      
２１ 分離槽部    
２２ 凝集物排出口      
２３ 浄化槽部  
２４a 逆浸透膜濾過部
２４b 逆浸透膜濾過部   
２５ 送水ロータリーポンプ      
２６ ５μｐｐフィルター（前処理フィルター）    
２７ 活性炭フィルター  （前処理フィルター）    
２８a 高圧逆浸透膜
２８b 低圧逆浸透膜            
２９ 移送バルブ              
３０a 逆浸透膜濾過部本体 
３０b 逆浸透膜濾過部本体    
３１ 原水取水口              
３２ 移送バルブ           
３３ 移送バルブ            
３４ 長方形状の側面部               
３５ 逆台形状の側面部                              
３６ 長方形状の底面部                              
３７ 飲料水  
３８ 雑用水  
３９ 給水タンク      
４０ 送水ポンプ          
４１ 中継用給水タンク
４２ 消毒剤注入器
５０ 移動式浄水化装置（第二の実施の形態）
６０ 移動式浄水化装置（第三の実施の形態）
【図１】
0003183246.tif 000003
【図２】
0003183246.tif 000004
【図３】
0003183246.tif 000005
【図４】
0003183246.tif 000006
【図５】
0003183246.tif 000007
【図６】
0003183246.tif 000008